(57)【要約】【課題】  カラスが果樹に近づくことを防止する為に、カラスが嫌うリボンの提供。【解決手段】  果樹の枝２，２・・にリボン１，１・・を結び付け、該リボン生地の色彩を黄色とし、そしてシリカやチタンなどを焼成して微粉末加工したものを樹脂と共にリボン１，１・・に含浸してマイナスイオンを放出するようにしている。【選択図】    図１
2005325475.tif 000002
【特許請求の範囲】
【請求項１】
カラスが近づくことを防止する為に用いるネットやリボン等の生地であって、該生地の色彩を黄色とし、そして高純度シリカチタンなどを焼成して微粉末加工したものを樹脂と共に含浸してマイナスイオンを放出することを特徴とするカラスが嫌う生地。
【請求項２】
カラスが近づくことを防止する為に用いるネットやリボン等の生地であって、該生地の色彩を黒色とし、そして高純度シリカチタンなどを焼成して微粉末加工したものを樹脂と共に含浸してマイナスイオンを放出することを特徴とするカラスが嫌う生地。
【請求項３】
カラスが果樹に近づくことを防止する為に枝に結び付けることが出来るリボンであって、該リボン生地の色彩を黄色とし、そして高純度シリカチタンなどを焼成して微粉末加工したものを樹脂と共に含浸してマイナスイオンを放出することを特徴とするカラスが嫌う生地。
【請求項４】
カラスが屋根に近づくことを防止する為に、瓦の滑り止めに結び付けることが出来るリボンであって、該リボン生地の色彩を黄色とし、そして高純度シリカチタンなどを焼成して微粉末加工したものを樹脂と共に含浸してマイナスイオンを放出することを特徴とするカラスが嫌う生地。
【請求項５】
カラスが果樹園に近づくことを防止する為に、該果樹園周囲を被覆することが出来るテープであって、該テープ生地の色彩を黄色とし、そして高純度シリカチタンなどを焼成して微粉末加工したものを樹脂と共に含浸してマイナスイオンを放出することを特徴とするカラスが嫌う生地。
【請求項６】
カラスがゴミ収容袋に近づくことを防止する為に、該積み上げられたゴミ収容袋を被覆することが出来るネットであって、該ネット生地の色彩を黄色とし、そして高純度シリカチタンなどを焼成して微粉末加工したものを樹脂と共に含浸してマイナスイオンを放出することを特徴とするカラスが嫌う生地。
【発明の詳細な説明】
【技術分野】
【０００１】
本発明はカラスが嫌がって寄り付かないように処理した生地に関するものである。ここで、生地は広く解してネット生地やテープも含まれ、該生地を用いた具体的な方法は限定しないことにする。
【背景技術】
【０００２】
各家庭から出されるゴミは所定の場所に置かれ、巡回する収集車によって集められる。しかし、出されたゴミは収集車によって回収されるまではそのまま放置され、この放置されたゴミにカラスが群がって周囲に散らかしてしまう。近年ではこの放置されるゴミに群がるカラスが多く、特に都会ではこのカラス対策が問題と成っている。従来から色々な対策が講じられているが、その効果は十分でなく、カラスとの知恵比べが続いている。
【０００３】
従来から使われている最も一般的な方法は図５に示すようなネット(イ)であり、ゴミを収容したゴミ袋(ロ)、(ロ)・・が積まれた山にネット(イ)を被せ、周囲には該ネット(イ)が捲れないように重石(ハ)、(ハ)・・を配置している。しかし、ネットになれたカラスは、ネットの網目やその他の隙間からゴミを突いて散らかってしまい、街中では道路脇に積まれた生ごみが散らかされることで悪臭を放ち、街の美観はもとより、衛生環境が損なわれてしまう。
【０００４】
一方、カラスの被害を受けるのは何もゴミに限らず、地方では果樹園に大きな被害を及ぼしている。すなわち、実を結んだ果樹園の果物をクチバシで突いて台無しにしてしまう。又農家の畑で実を結んだ野菜類にもカラスが被害を及ぼしている。そこで、透明な糸を張設してカラスが近づかないように工夫する方法もあるが、狭い間隔で糸を張設することが必要となる。この方法は飛んでいるカラスの進入を防止する効果はあるが、歩いて進入するカラスには効果が無い。
【発明の開示】
【発明が解決しようとする課題】
【０００５】
このように、カラスの被害に遭わないようにする効果的な方法は存在していない。本発明が解決しようとする課題はこの問題点であり、カラスの被害を受けることなく、カラスが嫌うテープやネットなどの生地を提供する。
【課題を解決するための手段】
【０００６】
本発明に係る生地はカラスが嫌がるように処理を行い、これを用途に応じて適当な形状でもって使い分けることが出来るようにしている。
(１)色彩
カラスが嫌がる色を色々なテストを行って調査したところ「黄色」と「黒色」であることが判明した。すなわち、白色、黒色、黄色、赤色、緑色、青色等の生地を準備してこれらの生地の周りに餌を置く場合、カラスが嫌がって寄り付かない生地は「黒色」と「黄色」である。他の色の場合には、餌を求めて近づいてくる。
(２)波長
ベータ波は電子を放出解放した後にマイナスイオンとして姿を変える。マイナスイオン化された波長は約１メートルの距離にある空間のバリヤを作り、常にマイナスイオンが放出される。又、マイナスイオンと同時に遠赤外線も放出される。カラスはこのマイナスイオンを嫌い、近づかないことがテストの結果判明した。そこで、本発明では黄色い生地にマイナスイオンを放出するように処理している。
【０００７】
ここで、マイナスイオンを発生させる手段は特に限定しないが、焼成加工した高純度シリカチタンなどの超微粉末を樹脂と水に混入した溶液を作り、これに漬けて攪拌しながら黄色又は黒色の生地に含浸することが出来る。そして、該生地を小さく裁断したリボンとして適当な場所に締結する。又、畑などの周囲にネット生地を張り巡らすことが出来る。ただし、具体的な使用方法は限定しないことにする。
【発明の効果】
【０００８】
本発明に係る生地やテープはその色彩が黄色又は黒色であり、カラスが嫌う色彩であることから、該生地を使うことで周囲からカラスを遠ざけることが出来る。又、該生地からはマイナスイオンが放射されて所定の領域ではマイナスイオンのバリヤが形成される為に、カラスが近づかないようになる。そして、本発明の生地はリボンやネット生地としてその用途に応じて使い分けすることが出来ると共に、製作は簡単で低コストで提供することが可能である。
【実施例】
【０００９】
図１はリンゴやミカン、ナシなどの果樹にリボン１，１・・を結び付けた場合の具体例を示している。リボン１，１・・は果樹の枝２，２・・に結び付けられ、幹３にも結ばれている。該リボン２は長いテープを適当な長さに裁断し、これを各枝２，２・・に結び付けられる。
【００１０】
ところで、リボン２の元になるテープの色彩は黄色に染色され、そして該リボンからはマイナスイオンが放出される。カラスは黄色を嫌うと共にマイナスイオンが放出される空間を嫌う為に、カラスは果樹に近づかないようになる。その為に、果樹になる果物をカラスから守ることが出来る。本発明ではリボン１，１・・が取付けられる枝２，２・・、及びリボン１，１・・の個数は限定しないことにするが、遠くから黄色いリボン１，１・・が目立つように取付けることが必要である。
【００１１】
リボン１，１・・は一定幅のテープを所定の長さに裁断して作られるが、該テープは黄色に染色加工され、その後でマイナスイオンを放出するための処理が行われる。例えば、高純度のシリカチタン鉱石を高熱焼成加工し、これを数回繰り返す。そこで、焼成シリカチタンはセラミック状態と成り、マイナスイオンを放出するようになる。このマイナスイオンの波長はβ波長であり、人体には害がない。
【００１２】
β波は電子を放出した直後にマイナスイオンと成って姿を変え、マイナスイオン化された波長は半径約１ｍの空間のバリヤを形成し、この空間へのカラスの進入を防止することが出来る。ところで、高温焼成加工されたシリカチタンを超微粉末化し、これをテープに含浸する。そこで、バインダーとなる樹脂に水と上記超微粉末を混合して溶液を作り、これにテープを漬けて攪拌することでテープ生地に含浸することが出来る。
【００１３】
図２は屋根にリボン１，１・・を取付けた場合の実施例であり、該リボン１，１・・は屋根瓦の滑り止めに結んで取付けることが出来る。この場合も、黄色いリボン１，１・・が屋根に取付けられることで、カラスは遠くから認識できる為に近づくことはない。しかし、仮に屋根に近づいた場合には、該リボン１，１・・から放出されるマイナスイオンによって、カラスが屋根に止まることは出来ない。
【００１４】
図３は積まれたゴミを被覆したネット４を示している。家庭から出るゴミはゴミ収容袋５に収納され、ゴミ収容袋５，５・・が所定の場所に積まれ、ゴミ収集車に積まれて回収される。ゴミ収容袋５，５・・が積まれる場所は一般に道路脇や公園の片隅などであるが、カラスの被害に遭わないように従来と同じくネット４が被覆されている。
【００１５】
この場合のネット４は、黄色い色彩であって、高温焼成されたシリカチタン鉱石の超微粉末を含浸してマイナスイオンを発生することが出来る。従って、カラスは黄色を嫌うと同時にマイナスイオンを嫌うことでゴミ収容袋５，５・・には近づかないようになる。
【００１６】
図４は果樹園の周囲をテープ８にて囲った場合である。前記図１のように果樹の枝２，２・・にリボン１，１・・を結び付けることもあるが、複数本の果樹が植えられている果樹園全体をリボン８にて囲うことも可能である。そこで、果樹園のコーナーにはポール７，７・・を起立し、各ポール７，７・・に沿わせてテープ８は張設されている。ここで、各ポール７，７・・間の距離が大きな場合には間に別のポール７，７・・を設けて、テープ８がダブ付かないようにすることが出来る。
【００１７】
ところで、テープ８は黄色に染色され、又マイナスイオンが放出される。従って、カラスは黄色のテープ８を嫌って近寄ることはなく、仮に近くまで来てもテープ８から発生するマイナスイオンのバリヤにてテープ８にて囲まれた果樹園内に進入することはない。図４(ａ)では各ポール７，７・・の上端部にテープ８が張設されているが、同図(ｂ)は各ポール７，７・・の上端部と下端部にテープ８，８が張設された場合を示している。
【００１８】
上記実施例ではネット及びリボンを黄色としているが、黒色とする場合もあり、カラスは、この黒色のネットやリボンを嫌って近づかない。そして、ネット、リボン、及びテープの使い方は実施例に限定せず、その他に色々ある。
【図面の簡単な説明】
【００１９】
【図１】果樹の枝にリボンを取付けた実施例。
【図２】屋根瓦にリボンを取付けた実施例。
【図３】積み上げられたゴミ収容袋にネットを被覆した場合。
【図４】果樹園をテープで囲った実施例。
【図５】積み上げられたゴミ収容袋にネットを被覆した場合。
【符号の説明】
【００２０】
１  リボン
２  枝
３  幹
４  ネット
５  ゴミ収容袋
７  ポール
８  テープ
【図１】
2005325475.tif 000003
【図２】
2005325475.tif 000004
【図３】
2005325475.tif 000005
【図４】
2005325475.tif 000006
【図５】
2005325475.tif 000007